(57)【要約】【課題】加熱調理器における音声報知機能の利便性を向上する。【解決手段】調理のスタートキーが押されたら、加熱手段による被加熱物の加熱を開始する。加熱の開始後に、音声キーが操作されたかチェックする。音声キーが操作されたことが確認されたら、被加熱物の加熱の残り時間をチェックする。加熱の残り時間が確定していたら、その残り時間を音声で報知する。加熱の残り時間が確定していなかったら、残り時間は未定であることを音声で報知する。【選択図】図５
2018031529.tif 000002
【特許請求の範囲】
【請求項１】
被加熱物を加熱する加熱手段と、
前記被加熱物の加熱状態を音声で報知する音声報知手段と、
前記音声報知手段を駆動する音声操作スイッチを含む複数の操作スイッチを有する操作手段と、
制御手段とを備え、
前記制御手段は、前記加熱手段による前記被加熱物の加熱中に、前記音声操作スイッチが操作されたら、前記被加熱物の加熱の残り時間に関する情報を音声により報知するよう前記音声報知手段を駆動する加熱調理器。
【請求項２】
前記制御手段は、前記加熱手段による前記被加熱物の加熱中に、前記音声操作スイッチが操作されたとき、前記被加熱物の加熱の残り時間が確定している場合は、加熱の残り時間を報知するよう前記音声報知手段を駆動し、前記被加熱物の加熱の残り時間が確定していない場合は、その旨を報知するよう前記音声報知手段を駆動する請求項１に記載の加熱調理器。
【請求項３】
前記制御手段は、前記加熱手段による前記被加熱物の加熱中に、前記音声操作スイッチが操作されたとき、前記被加熱物の加熱の残り時間が確定していない場合は、加熱の残り時間が確定した時点で、加熱の残り時間を報知するよう前記音声報知手段を駆動する請求項２に記載の加熱調理器。
【請求項４】
さらに前記被加熱物の前記加熱状態を表示する表示手段を備え、
前記制御手段は、前記被加熱物の加熱の残り時間に関する情報を前記表示手段に表示する請求項１〜３のいずれか１項に記載の加熱調理器。
【請求項５】
前記音声操作スイッチは、前記操作手段の他の前記操作スイッチと、触覚において識別可能に構成されている請求項１〜４のいずれか１項に記載の加熱調理器。
【請求項６】
前記音声操作スイッチは、前記操作手段の他の前記操作スイッチとは触覚が異なる材料で形成されている請求項５に記載の加熱調理器。
【請求項７】
前記音声操作スイッチは、前記操作手段の他の前記操作スイッチとは形状が異なっている請求項５に記載の加熱調理器。
【請求項８】
前記操作手段の他の前記操作スイッチはタッチパネル上に表示されるタッチスイッチであり、前記音声操作スイッチは物理スイッチである請求項５に記載の加熱調理器。
【請求項９】
前記操作手段は、前記音声操作スイッチとは別体の加熱停止スイッチを有している請求項１〜８のいずれか１項に記載の加熱調理器。
【発明の詳細な説明】
【技術分野】
【０００１】
本発明は、音声ガイド機能付きの加熱調理器に関する。
【背景技術】
【０００２】
従来、加熱調理器には音声ガイド機能を有しているものがある。例えば、特許文献１に記載の加熱装置は、本体の前面に設けられた操作パネルの所定のキーを押すことにより、加熱残り時間が予め設定された時間になると、音声でその旨を報知するよう構成されている。また、特許文献２に記載の高周波加熱装置は、前面に設けられた操作パネルのタイマー設定キーと時間設定用のつまみの操作を繰り返すことにより、報知音を鳴らすタイミングを必要に応じて何回でも設定することができるよう構成されている。
【先行技術文献】
【特許文献】
【０００３】
【特許文献１】特開昭５６−１６６５０４号公報
【特許文献２】特開２００１−２２７７４９号公報
【発明の概要】
【発明が解決しようとする課題】
【０００４】
このように、特許文献１の加熱装置や特許文献２の高周波加熱装置では予め設定されたタイミングで音声報知が実行される。しかしながら、設定されたタイミングで実行される音声報知を聞き逃してしまうと、加熱残り時間を把握するには表示部を見る等、聴覚以外の手段で確認しなければならないという問題がある。
【０００５】
本発明は、上述のような課題を背景としてなされたものであり、加熱調理器における音声報知機能の利便性を向上することを目的としている。
【課題を解決するための手段】
【０００６】
本発明に係る加熱調理器は、被加熱物を加熱する加熱手段と、前記被加熱物の加熱状態を音声で報知する音声報知手段と、前記音声報知手段を駆動する音声操作スイッチを含む複数の操作スイッチを有する操作手段と、制御手段とを備え、前記制御手段は、前記加熱手段による前記被加熱物の加熱中に、前記音声操作スイッチが操作されたら、前記被加熱物の加熱の残り時間に関する情報を音声により報知するよう前記音声報知手段を駆動するものである。
【発明の効果】
【０００７】
本発明によれば、被加熱物の加熱中に、音声操作スイッチを操作すれば、その時点での被加熱物の加熱の残り時間に関する情報を音声により報知することができる。従って、使用者が音声による報知を聞き逃したとしても、加熱の残り時間に関する情報を再度、音声により確認することができる。
【図面の簡単な説明】
【０００８】
【図１】本発明の実施の形態１に係る加熱調理器の斜視図である。
【図２】本発明の実施の形態１に係る加熱調理器の操作部の正面図である。
【図３】本発明の実施の形態１に係る加熱調理器の模式図及びブロック図である。
【図４】本発明の実施の形態１における音声報知の設定変更の処理手順を示すフローチャートである。
【図５】本発明の実施の形態１に係る音声報知の手順を示すフローチャートである。
【図６】本発明の実施の形態２に係る音声報知の手順を示すフローチャートである。
【発明を実施するための形態】
【０００９】
以下、本発明の加熱調理器の好適な実施の形態について図面を用いて説明する。なお、以下に説明する実施の形態によって本発明が限定されるものではない。また、図面における各構成部材の大きさ、形状は、説明のためにわかりやすく表しており、実際の大きさ、形状と異なる場合がある。
【００１０】
実施の形態１．
図１は、本発明の実施の形態１に係る加熱調理器の斜視図である。加熱調理器１０は、本体１０ａの内部に後述する加熱室を備えている。本体１０ａの前面側にはドア１０ｂが配設されている。ドア１０ｂは下部を本体１０ａに軸支されており、上縁部に設けられたハンドル１０ｃにより開閉可能に構成されている。ドア１０ｂには窓１０ｄがはめ込まれており、ドア１０ｂを閉じた状態においても、窓１０ｄを介して加熱調理器１０の内部を視認することができる。加熱調理器１０を正面から見てドア１０ｂの右側には、操作部１１が形成されている。
【００１１】
図２は、本発明の実施の形態１に係る加熱調理器の操作部の正面図である。操作手段である操作部１１は、略長方形状であり、表示手段である表示部１２と、加熱選択キー群１１ａと、仕上がりキー群１１ｂと、時間設定キー群１１ｃと、スタートキー１１ｄと、とりけしキー１１ｅと、音声操作スイッチである音声キー１１ｆとを有している。表示部１２は液晶からなる略長方形状の表示画面であり、固定の文字と記号により、操作部１１への操作入力の状態と加熱状況を表示する。
【００１２】
表示部１２の下側の領域には、加熱手段を選択する加熱選択キー群１１ａが設けられている。加熱選択キー群１１ａは、レンジキー１０２と、レンジグリルキー１０３と、グリルキー１０４と、オーブンキー１０５と、発光部１０６と、発光部１０７と、発光部１０８と、発光部１０９とを有している。これらのキーは、左から、レンジキー１０２、レンジグリルキー１０３、グリルキー１０４、オーブンキー１０５の順番で横一列となるように配列されている。発光部１０６はレンジキー１０２の上方に位置し、発光部１０７はレンジグリルキー１０３の上方に位置し、発光部１０８はグリルキー１０４の上方に位置し、発光部１０９はオーブンキー１０５の上方に位置している。各発光部はドア１０ｂを開閉した際の初期状態では４つ全てが点灯し、対応する加熱選択キーが選択された場合に選択されたキーに対応する発光部だけが点灯し、その他の発光部は消灯するように構成されている。
【００１３】
仕上がりキー群１１ｂは、加熱選択キー群１１ａの下側の離間した位置に設けられている。仕上がりキー群１１ｂは、仕上がり調節プラスキー１１１と、仕上がり調節マイナスキー１１２と、発光部１１３と、発光部１１４とを有している。仕上がり調節プラスキー１１１及び仕上がり調節マイナスキー１１２は、各加熱手段が選択された際に、加熱の仕上がりに関わる加熱の強さを調節するためのキーである。仕上がり調節プラスキー１１１は、被加熱物２の加熱の仕上がり具合を強めるキーであり、仕上がり調節マイナスキー１１２は、仕上がり具合を弱めるキーである。
【００１４】
仕上がり調節プラスキー１１１及び仕上がり調節マイナスキー１１２の形状は、中心から所定の半径の領域が切り欠かれた開角が略９０度の扇形状である。発光部１１３は仕上がり調節プラスキー１１１の外周縁に沿った円弧状を有し、発光部１１４は仕上がり調節マイナスキー１１２の外周縁に沿った円弧状を有している。仕上がりキー群１１ｂは、これらのキーの配置により、円弧部分が上方向を向く略半円形状に形成されている。
【００１５】
時間設定キー群１１ｃは、仕上がりキー群１１ｂの下側に設けられている。時間設定キー群１１ｃは、加熱時間を設定するためのキーである５分キー１１５、１分キー１１６、及び１０秒キー１１７と、これらの加熱時間設定キーに対応する発光部１１８、発光部１１９、及び発光部１２０とを有している。５分キー１１５は５分単位で時間設定を行うキーであり、１分キー１１６は１分単位で時間設定を行うキーであり、１０秒キー１１７は１０秒単位で時間設定を行うキーである。５分キー１１５、１分キー１１６、及び１０秒キー１１７を適宜組み合わせて操作することにより、加熱時間を任意に設定することができる。
【００１６】
５分キー１１５、１分キー１１６、及び１０秒キー１１７の形状は、中心から所定の半径の領域が切り欠かれた開角が略６０度の扇形状である。発光部１１８は５分キー１１１の外周縁に沿った円弧状を有し、発光部１１９は１分キー１１６の外周縁に沿った円弧状を有し、発光部１２０は１０秒キー１１７の外周縁に沿った円弧状を有している。時間設定キー群１１ｃは、これらのキーの配置により、円弧部分が下方向を向く略半円形状に形成されている。
【００１７】
スタートキー１１ｄは、加熱選択キー群１１ａ、仕上がりキー群１１ｂ、及び時間設定キー群１１ｃに配置されている上述のキーで各種設定を行った後、加熱を開始するためのキーである。このスタートキー１１ｄは、円形状に構成されており、キー入力が可能な場合に点滅する発光部１２２が設けられている。
【００１８】
円形状のとりけしキー１１ｅは、時間設定キー群１１ｃの左下側の離間した位置に配置されている。とりけしキー１１ｅは、加熱選択キー群１１ａ、仕上がりキー群１１ｂ、及び時間設定キー群１１ｃで行った操作入力を解除するためのキーである。なお、スタートキー１１ｄが操作されて加熱が開始された後にとりけしキー１１ｅを操作すると、加熱が停止される。このように、とりけしキー１１ｅは加熱停止スイッチとしても機能する。
【００１９】
円形状の音声キー１１ｆは、加熱選択キー群１１ａの右側端部と仕上がりキー群１１ｂの右上部との間の領域に配置されている。音声キー１１ｆは、操作部１１の他のキー、すなわち、加熱選択キー群１１ａの各キー、仕上がりキー群１１ｂの各キー、時間設定キー群１１ｃの各キー、スタートキー１１ｄ、及びとりけしキー１１ｅとは触覚により識別できるよう構成されている。本実施の形態１では、音声キー１１ｆは、これらの他のキーとは異なる触感の材質で構成されている。
【００２０】
加熱選択キー群１１ａ若しくはスタートキー１１ｄが押される前、すなわち加熱調理を開始する前の待機状態において、音声キー１１ｆが押されると、音声キー１１ｆは、音声報知の有効無効を確認するためのキー、及び音声報知の有効無効を切り替えるキーとして機能する。また、音声報知が有効にされた状態で、スタートキー１１ｄが押され、調理中に音声キー１１ｆが押されると、加熱中の各種情報が音声により報知される。加熱中の各種情報には、加熱の残り時間が含まれる。
【００２１】
図３は、本発明の実施の形態１に係る加熱調理器の模式図及びブロック図である。加熱調理器１０の内部に正面が開口された箱形状の加熱室１が設けられている。加熱室１を正面から見て、左側の側面板１ａの上部に温度センサー９が設置され、右側の側面板１ｂの上部に赤外線センサー６が設置されている。側面板１ｂの赤外線センサー６と対向する面に開口窓７が設けられている。温度センサー９は、例えばサーミスタにより構成され、加熱室１内の温度を検出する。赤外線センサー６は、加熱室１内の被加熱物２から発せられる赤外線（熱）を検出する。
【００２２】
加熱室１の上面板１ｃの裏側には、上面板１ｃを介して加熱室１の内部に収容された被加熱物２を加熱する上ヒーター１４が設置されている。この上ヒーター１４は、例えば、ニクロム線をマイカで挟んで構成されるフラットヒーターである。加熱室１の底面板１ｄには、底面板１ｄに形成された開口部１ｅを覆う載置台８が設けられている。載置台８は、後述するマイクロ波を透過しやすいセラミックの部材によって構成されている。
【００２３】
また、加熱室１の底面板１ｄには、導波管４が取り付けられている。この導波管４には、マイクロ波を発生するマグネトロン３と連結されたアンテナ３ａが設置されている。マグネトロン３で発せられたマイクロ波は、アンテナ３ａから照射され、導波管４を通って加熱室１内に放射され、被加熱物２を加熱する。載置台８の下側の導波管４内には、例えばシーズヒーターからなる下ヒーター１５が配設され、加熱室１の内部に収容された被加熱物２を加熱する。加熱室１の背面には不図示の背面ガラス管ヒーターが配設され、加熱室１の内部に収容された被加熱物２を加熱する。本実施の形態１において、マグネトロン３、上ヒーター１４、下ヒーター１５、及び背面ガラス管ヒーターで、被加熱物２を加熱する加熱手段が構成されている。
【００２４】
制御手段１３は、加熱調理器１０を全体的に制御するものであり、キー判定手段１３ａ、制御回路１３ｂ、マグネトロン駆動手段１３ｅ、ヒーター駆動手段１３ｆを備えている。制御回路１３ｂは、タイマ１３ｃ及びフラッシュメモリ１３ｄを有している。
【００２５】
キー判定手段１３ａには、加熱選択キー群１１ａの上述の各キー、仕上がりキー群１１ｂの上述の各キー、時間設定キー群１１ｃの上述の各キー、スタートキー１１ｄ、とりけしキー１１ｅ、及び音声キー１１ｆからの出力信号が入力される。キー判定手段１３ａは、入力された信号から何れのキーが操作されたかを判定し、判定したキーからの設定信号（情報）を制御回路１３ｂに出力する。制御回路１３ｂは、キー判定手段１３ａからの設定信号に基づいて、ヒーター駆動手段１３ｆ、マグネトロン駆動手段１３ｅ、表示部１２，音声報知手段１６に制御信号を出力する。また、制御回路１３ｂには、ドア開閉検知手段１７からの出力信号が入力される。
【００２６】
レンジキー１０２が押され、レンジキー１０２からの出力信号がキー判定手段１３ａに入力されると、キー判定手段１３ａは、レンジキー１０２が押されたことを示す情報を制御回路１３ｂに出力する。それに応じて、制御回路１３ｂは、マグネトロン駆動手段１３ｅにマグネトロン３を駆動する指令信号を出力する。制御回路１３ｂから指令信号が入力されると、マグネトロン駆動手段１３ｅは、マグネトロン３に駆動信号を出力する。これにより、マグネトロン３が駆動される。レンジキー１０２を押すことにより、マグネトロン３によるマイクロ波加熱を用いたレンジ加熱が選択される。
【００２７】
レンジグリルキー１０３が押され、レンジグリルキー１０３からの出力信号がキー判定手段１３ａに入力されると、キー判定手段１３ａは、レンジグリルキー１０３が押されたことを示す情報を制御回路１３ｂに出力する。それに応じて、制御回路１３ｂは、マグネトロン駆動手段１３ｅにマグネトロン３を駆動する指令信号を出力し、続いて、ヒーター駆動手段１３ｆに上ヒーター１４及び背面ガラス管ヒーターを駆動する指令信号を出力する。制御回路１３ｂから指令信号が入力されると、マグネトロン駆動手段１３ｅは、マグネトロン３に駆動信号を出力し、ヒーター駆動手段１３ｆは、上ヒーター１４及び背面ガラス管ヒーターに駆動信号を出力する。レンジグリルキー１０３を押すことにより、マイクロ波加熱の後に上ヒーター１４及び背面ガラス管ヒーターの加熱を連続して行うレンジグリル加熱が選択される。
【００２８】
グリルキー１０４が押され、グリルキー１０４からの出力信号がキー判定手段１３ａに入力されると、キー判定手段１３ａは、グリルキー１０４が押されたことを示す情報を制御回路１３ｂに出力する。それに応じて、制御回路１３ｂは、ヒーター駆動手段１３ｆに上ヒーター１４及び背面ガラス管ヒーターを駆動する指令信号を出力する。制御回路１３ｂから指令信号が入力されると、ヒーター駆動手段１３ｆは、上ヒーター１４及び背面ガラス管ヒーターに駆動信号を出力する。グリルキー１０４を押すことにより、上ヒーター１４及び背面ガラス管ヒーターの加熱を行うグリル加熱が選択される。
【００２９】
オーブンキー１０５が押され、オーブンキー１０５からの出力信号がキー判定手段１３ａに入力されると、キー判定手段１３ａは、オーブンキー１０５が押されたことを示す情報を制御回路１３ｂに出力する。それに応じて、制御回路１３ｂは、ヒーター駆動手段１３ｆに上ヒーター１４及び下ヒーター１５を駆動する指令信号を出力する。制御回路１３ｂから指令信号が入力されると、ヒーター駆動手段１３ｆは、上ヒーター１４及び下ヒーター１５に駆動信号を出力する。オーブンキー１０５を押すことにより、上ヒーター１４及び下ヒーター１５の加熱を行うグリル加熱が選択される。
【００３０】
フラッシュメモリ１３ｄには、音声報知が有効であるか無効であるかを示す情報が記憶されている。タイマ１３ｃは、制御回路１３ｂの制御に基づいて加熱時間を計時する。
【００３１】
スタートキー１１ｄからの出力信号が入力されていない状態において、音声キー１１ｆから１回押されたことを示す出力信号が入力されると、制御回路１３ｂは、フラッシュメモリ１３ｄに記憶されている音声報知の有効無効の情報を音声で出力するよう、音声報知手段１６に制御信号を出力する。さらに、制御回路１３ｂは、フラッシュメモリ１３ｄに記憶されている音声報知の有効無効を切り替える操作方法を音声で出力するよう、音声報知手段１６に制御信号を出力する。本実施の形態１において、音声報知の有効無効を切り替える操作方法は、音声キー１１ｆの２秒間の長押しである。
【００３２】
スタートキー１１ｄからの出力信号が入力されていない状態において、音声キー１１ｆから、２秒間の長押しがされたことを示す出力信号が入力されると、制御回路１３ｂは、フラッシュメモリ１３ｄに記憶されている音声報知に関する情報が、有効であれば無効に切り替え、無効であれば有効に切り替える書き込み処理を実行する。スタートキー１１ｄからの出力信号が入力された後、音声キー１１ｆからの出力信号が入力されると、制御回路１３ｂは、フラッシュメモリ１３ｄに記憶されている情報を確認し、音声報知が有効となっているときは、実行中の加熱調理に関する情報、より具体的には加熱の残り時間に関する情報を音声で出力するよう、音声報知手段１６に制御信号を出力する。
【００３３】
とりけしキー１１ｅが押され、とりけしキー１１ｅからの出力信号がキー判定手段１３ａに入力されると、キー判定手段１３ａは、とりけしキー１１ｅが押されたことを示す情報を制御回路１３ｂに出力する。それに応じて、制御回路１３ｂは、とりけしキー１１ｅが押される前に操作された内容をキャンセルする処理を実行する。
【００３４】
図４は、本発明の実施の形態１における音声報知の設定変更の処理手順を示すフローチャートである。この処理は、調理を開始する前の待機状態において、制御手段１３により実行される。ステップＳ１０において、音声キー１１ｆが操作されたか否かがチェックされる。音声キー１１ｆが操作されたことが確認されたら、ステップＳ１１へ進む。音声キー１１ｆが操作されていない間はステップＳ１０の処理が繰り返される。ステップＳ１１では、フラッシュメモリ１３ｄに記憶されている音声報知の有効無効に関するデータが読み出され、音声報知が有効な設定になっているか否かチェックされる。音声報知が無効に設定されていることが確認されたら、ステップＳ１２へ進む。
【００３５】
ステップＳ１２では、音声報知手段１６により、音声報知が無効に設定されていることが報知される。次いで、ステップＳ１３へ進み、音声報知手段１６により、音声報知を有効に設定する操作方法が報知される。本実施の形態１では、上述のように、音声キー１１ｆを２秒間長押しする操作が、音声報知を有効に設定する操作であるので、その旨が音声報知手段１６により報知される。続いてステップＳ１４へ進み、音声報知手段１６による報知の後、所定時間が経過する前に、音声報知を有効に切り替える操作が実行されたか否かチェックされる。ステップＳ１４で、音声キー１１ｆが２秒間長押しされ、音声報知を有効にする操作が行われたことが確認されたら、ステップＳ１５へ進む。ステップＳ１５では、フラッシュメモリ１３ｄの音声報知の有効無効に関するデータを有効に設定変更する書き込み処理が実行される。ステップＳ１４で、音声報知を有効にする操作が行われていないことが確認された場合は、ステップＳ１５の処理は行われず、フラッシュメモリ１３ｄの音声報知の有効無効に関するデータは無効の設定が維持される。
【００３６】
一方、ステップＳ１１において音声報知が有効に設定されていることが確認されたら、ステップＳ１６へ進む。ステップＳ１６では、音声報知手段１６により、音声報知が有効に設定されていることが報知される。次いで、ステップＳ１７へ進み、音声報知手段１６により、音声報知を無効に設定する操作方法が報知される。本実施の形態１では、上述のように、音声キー１１ｆを２秒間長押しする操作が、音声報知を無効に設定する操作であるので、その旨が音声報知手段１６により報知される。続いてステップＳ１８へ進み、音声報知手段１６による報知の後、所定時間が経過する前に、音声報知を無効に切り替える操作が実行されたか否かチェックされる。ステップＳ１８で、音声キー１１ｆが２秒間長押しされ、音声報知を無効にする操作が行われたことが確認されたら、ステップＳ１９へ進む。ステップＳ１９では、フラッシュメモリ１３ｄの音声報知の有効無効に関するデータを無効に設定変更する書き込み処理が実行される。ステップＳ１８で、音声報知を無効にする操作が行われていないことが確認された場合は、ステップＳ１９の処理は行われず、フラッシュメモリ１３ｄの音声報知の有効無効に関するデータは有効の設定が維持される。
【００３７】
このように、本実施の形態１においては、音声キー１１ｆの長押し操作が音声報知の有効無効の設定の切り替えのトリガーとなる。そして、音声報知が無効に設定されていても、音声キー１１ｆが操作されると、音声報知が無効であること、および音声報知を有効にする操作方法が音声報知手段１６により報知される。
【００３８】
図５は、本発明の実施の形態１に係る音声報知の手順を示すフローチャートである。ステップＳ２０で、操作部１１のスタートキー１１ｄが押されたか否かがチェックされる。スタートキー１１ｄが押されたことが確認されたらステップＳ２１へ進む。スタートキー１１ｄが押されていない場合は、ステップＳ２０の処理が繰り返される。ステップＳ２１では、加熱処理が開始される。すなわち、使用者による加熱選択キー群１１ａ、仕上がりキー群１１ｂ、及び時間設定キー群１１ｃの各キーの操作に従って、ヒーター駆動手段１３ｆおよびマグネトロン駆動手段１３ｅの少なくとも一方に制御信号が出力され、上ヒーター１４、下ヒーター１５、背面ガラス管ヒーター、およびマグネトロン３が適宜駆動される。
【００３９】
次いで、ステップＳ２２へ進み、音声キー１１ｆが押されたか否かがチェックされる。音声キー１１ｆが押されたことが確認されたらステップＳ２３へ進む。ステップＳ２３では、被加熱物２に対する加熱の残り時間が確定しているか否かがチェックされる。加熱の残り時間は、被加熱物２の温度と仕上がりの設定温度とを比較し、上ヒーター１４、下ヒーター１５、背面ガラス管ヒーター、およびマグネトロン３のうち駆動中の加熱手段の加熱能力、あるいは、温度センサー９で検知した温度変化などに基づいて算出される。上述のように、被加熱物２の温度は赤外線センサー６により検出される。また、仕上がりの設定温度は、フラッシュメモリ１３ｄから読み出され、必要に応じて仕上がりキー群１１ｂの各キーにより変更された設定温度である。
【００４０】
ステップＳ２３で被加熱物２に対する加熱の残り時間が確定していることが確認されたら、ステップＳ２４へ進む。ステップＳ２４では、制御手段１３は音声報知手段１６を駆動し、算出された残り時間を音声により報知する。この時、算出された残り時間は、残り時間が確定した時点で表示部１２に表示されている。ステップＳ２３で被加熱物２に対する加熱の残り時間が確定していないことが確認されたら、ステップＳ２５へ進む。ステップＳ２５では、音声報知手段１６を駆動し、加熱の残り時間が未定であることを音声により報知する。加熱の残り時間が未定である場合には、残り時間算出中であることが表示部１２に表示されている。
【００４１】
一方、ステップＳ２２において、音声キー１１ｆが押されていないことが確認されたら、ステップＳ２３〜Ｓ２５の処理は実行されず、ステップＳ２６へ進む。
【００４２】
ステップＳ２６では、被加熱物２の加熱処理を終了するか否かがチェックされる。被加熱物２の温度が仕上がりの設定温度に達している場合は、加熱処理終了と判断され、処理は終了する。被加熱物２の温度が仕上がりの設定温度に達していない場合は、上述の加熱手段により加熱処理を継続する必要がある。従って、ステップＳ２２へ戻り、ステップＳ２２〜Ｓ２５の処理が繰り返される。
【００４３】
以上のように、本実施の形態１においては、被加熱物２の加熱調理中は、音声キー１１ｆが押されたか否かが繰り返しチェックされる。そして、音声キー１１ｆが押された時点で加熱の残り時間が確定していれば、その残り時間が音声報知手段１６により報知され、加熱の残り時間が確定していなければ、残り時間は未定であることが音声報知手段１６により報知される。換言すると、使用者は、加熱調理中、音声キー１１ｆを押すことにより、その時点での残り時間を確認することができる。従って、使用者は、音声報知手段１６による音声報知を聞き逃したとしても、音声キー１１ｆを押せば、その時点の加熱の状態を音声により再度、確認することができる。
【００４４】
本実施の形態１において、音声キー１１ｆは、操作部１１の上述の他のキーとは異なる触感の材質を円形状に形成したものが用いられているがこれに限るものではない。音声キー１１ｆは、操作部１１の他のキーとは触覚により識別できるよう構成されていればよい。例えば、音声キー１１ｆの形状を円形ではなく、操作部１１の他のキーとは異なる形状に形成してもよい。あるいは、操作部１１の他のキーはタッチパネル上に表示されるタッチスイッチとし、音声キー１１ｆのみを、スイッチの端子間を機械的にオン／オフする物理スイッチとしてもよい。音声キー１１ｆの触覚を他のキーの触覚と異なるよう構成することにより、視覚に障がいのある使用者であっても、音声報知のための操作を実行することができる。
【００４５】
また、本実施の形態１においては、音声報知の有効無効を確認するためのキー、及び音声報知の有効無効を切り替えるキー、加熱中の各種情報を音声により報知させるためのキーとして、音声キー１１ｆを用いているがこれに限るものではない。操作部１１のキーのうち、加熱を停止するためのとりけしキー１１ｅ以外のキーであれば、音声報知に関する上述の操作を行うキーとして用いてもよい。
【００４６】
本実施の形態１によれば、音声キー１１ｆが押された時点で、表示部１２に表示されている加熱の残り時間若しくは、残り時間は未定であることなどの加熱に関する情報を、被加熱物２の加熱開始後、任意のタイミングで視覚に加えて聴覚で確認することができる。
【００４７】
実施の形態２．
図６は、本発明の実施の形態２に係る音声報知の手順を示すフローチャートである。ステップＳ３０〜Ｓ３５までの処理は、実施の形態１において説明した図４のフローチャートのステップＳ２０〜Ｓ２５までの処理と同様であるので、ここでは説明を省略する。また、本実施の形態２においても、調理を開始する前の待機状態において音声キー１１ｆの操作をトリガーとして、音声報知の有効無効の設定の切り替えが行われる。その手順は上述の図４のフローチャートと同一の手順である。
【００４８】
ステップＳ３５で、被加熱物２の加熱の残り時間が未定であることが音声報知手段１６により報知されたら、ステップＳ３６へ進む。ステップＳ３６では、実施の形態１における図４のフローチャートのステップＳ２３と同様に、被加熱物２に対する加熱の残り時間が確定しているか否かがチェックされる。
【００４９】
ステップＳ３６において、被加熱物２の加熱の残り時間が確定していることが確認されたら、ステップＳ３７へ進み、算出された残り時間が音声報知手段１６により報知される。さらに、算出された残り時間を表示部１２に表示する。一方、ステップＳ３６において、被加熱物２の加熱の残り時間が確定していないことが確認されたら、ステップＳ３７へは進まず、ステップＳ３６の処理が繰り返される。すなわち、被加熱物２の加熱の残り時間が確定するまでステップＳ３６の処理が繰り返される。
【００５０】
ステップＳ３４若しくはステップＳ３７において被加熱物２に対する加熱の残り時間が音声報知手段１６により報知されたら、ステップＳ３８へ進む。ステップＳ３８では、実施の形態１における図４のフローチャートのステップＳ２６と同様に、被加熱物２の加熱処理を終了するか否かがチェックされる。被加熱物２の加熱処理が終了と判断されたら、処理は終了する。被加熱物２の加熱処理を継続する必要がある場合は、ステップＳ３２へ戻り、ステップＳ３２〜Ｓ３４の処理が繰り返される。
【００５１】
本実施の形態２によれば、使用者は、加熱調理中、音声キー１１ｆを押すことにより、その時点での残り時間を確認することができる。従って、実施の形態１と同様、使用者は、音声報知手段１６による音声報知を聞き逃したとしても、音声キー１１ｆを押せば、その時点の加熱の状態を音声により再度確認することができる。
【００５２】
さらに、本実施の形態２によれば、音声キー１１ｆが押された時点において加熱の残り時間が未定の場合は、再度音声キー１１ｆを押さなくても、残り時間が確定した時点で、当該残り時間が音声報知手段１６により報知される。従って、音声報知の利便性がより高まる。
【符号の説明】
【００５３】
１  加熱室、１ａ  側面板、１ｂ  側面板、１ｃ  上面板、１ｄ  底面板、１ｅ  開口部、２  被加熱物、３  マグネトロン、３ａ  アンテナ、４  導波管、６  赤外線センサー、７  開口窓、８  載置台、９  温度センサー、１０  加熱調理器、１０ａ  本体、１０ｂ  ドア、１０ｃ  ハンドル、１０ｄ  窓、１１  操作部（操作手段）、１１ａ  加熱選択キー群、１１ｂ  仕上がりキー群、１１ｃ  時間設定キー群、１１ｄ  スタートキー、１１ｅ  とりけしキー、１１ｆ  音声キー（音声操作スイッチ）、１２  表示部（表示手段）、１３  制御手段、１３ａ  キー判定手段、１３ｂ  制御回路、１３ｃ  タイマ、１３ｄ  フラッシュメモリ、１３ｅ  マグネトロン駆動手段、１３ｆ  ヒーター駆動手段、１４  上ヒーター、１５  下ヒーター、１６  音声報知手段、１７  ドア開閉検知手段、１０２  レンジキー、１０３  レンジグリルキー、１０４  グリルキー、１０５  オーブンキー、１０６  発光部、１０７  発光部、１０８  発光部、１０９  発光部、１１１  仕上がり調節プラスキー、１１２  仕上がり調節マイナスキー、１１３  発光部、１１４  発光部、１１５  ５分キー、１１６  １分キー、１１７  １０秒キー、１１８  発光部、１１９  発光部、１２０  発光部、１２２  発光部。
【図１】
2018031529.tif 000003
【図２】
2018031529.tif 000004
【図３】
2018031529.tif 000005
【図４】
2018031529.tif 000006
【図５】
2018031529.tif 000007
【図６】
2018031529.tif 000008